(57)【要約】【課題】運んだり管理するときには、連続した一体の形態となるが、使用するときには、個別に分離可能な形態のペット用フードの提供。【解決手段】本発明のペット用フード１は、複数の短冊状のユニット２１、２２、２３に分割可能に形成されている。各ユニット２１、２２の間には、切り離し用のミシン目３１、３２が形成されている。前記ミシン目３１、３２をまたがって開封用の孔４１、４２が打ち抜かれている。【選択図】            図１
2004345716.tif 000002
【特許請求の範囲】
【請求項１】
食材が、複数個の短冊状のユニットに分割可能に真空包装されたペット用フードであって、連結された状態の各ユニット間には、分割用のミシン目が形成されているとともに、
各ミシン目をまたがる孔が形成されており、
前記ミシン目に沿って分割した後の各ユニットは、前記孔の部分から引き裂いて開封可能に構成されていることを特徴とするペット用フード。
【請求項２】
各ユニットには、レトルト処理された食材が封入されていることを特徴とする請求項１に記載のペット用フード。
【発明の詳細な説明】
【０００１】
【発明の属する技術分野】
本発明は、新しい形態のペット用フードの包装技術に関するものである。
【０００２】
【従来の技術】
従来より、ペット用フードは大袋に収納されて販売されていることが多いが、高価なペット用フード等は、個別の袋に収納されて販売されることがある。
また、多種多様の扁平状やシート状の加工食品並びにその製造処理方法が提供されている。（例えば、特許文献１参照）
【０００３】
【特許文献１】
特開２００２−２６２７８５
【０００４】
【発明が解決しようとする課題】
ところが、従来のように個別の袋に収納されているペット用フードは、ばらばらになっているので、２〜３個なら運びやすいが、７〜８個以上になると持ちにくいので運びにくいという問題がある。
両手で持っても、こぼれ落ちてしまうので運びにくく、管理しにくいという問題があった。
また、特許文献１に記載された技術は、所定の温度に加熱、且つ挾圧動作可能とした２枚の熱板１間に、処理対象食材２を、直接又は包装状態として位置させると共に、前記食材を加圧して展延すると共に、所定時間加熱して調理処理、加熱乾燥殺菌処理する技術であって、複数のユニットをまとめて取り扱うことは便利ではなかった。
【０００５】
そこで、本発明は、運んだり管理するときには、連続した一体の形態となるが、使用するときには、個別に分離可能な形態のペット用フードの提供を目的としてなされたものである。
【０００６】
【課題を解決するための手段】
本発明にかかる請求項１のペット用フードにおいては、食材が、複数個の短冊状のユニットに分割可能に真空包装されたペット用フードであって、連結された状態の各ユニット間には、分割用のミシン目が形成されているとともに、各ミシン目をまたがる孔が形成されており、前記ミシン目に沿って分割した後の各ユニットは、前記孔の部分から引き裂いて開封可能に構成されていることを特徴としている。
【０００７】
請求項２においては、各ユニットには、レトルト処理された食材が封入されていることを特徴としている。
【０００８】
【発明の実施の形態】
以下に、本発明にかかるペット用フードを、その実施の形態を示した図面に基づいて詳細に説明する。
【０００９】
図１において、
１は本発明のペット用フードであり、複数の短冊状のユニット２１、２２、２３に分割可能に形成されている。
各ユニット２１、２２、２３には、レトルト処理された鳥のささ身等の食材が、それぞれ真空包装されている。
そして、各ユニット２１、２２、２３の間には、切り離し用のミシン目３１、３２が形成されている。
これらのミシン目は、切り離しやすいように、ペット用フードの一辺側から他辺側まで設けられている。また、これらのミシン目に沿った所定の幅の部分は、真空包装の表面と裏面のシールが融着されており、ミシン目の周囲から食材側への空気の侵入はない。
【００１０】
また、前記ミシン目３１、３２をまたがって孔４１、４２が打ち抜かれている。
前記孔４１はミシン目３１をまたがってユニット２１側とユニット２２側の両側の部分に、孔４１の半分がかかっている。
同様に、他の孔４２の半分もミシン目３２の両側のユニット２１、２２にかかっている。
【００１１】
以上の構成のペット用フードは、図１に示したように、複数のユニットが連結された状態となっており、使用時には図２に示したように必要数のユニットを切り離すように構成されている。
従って、ペット用フードを運ぶ場合には、一度に連結された状態のまま取り扱いできるので、一個一個ばらばらになることなく、取り扱いが便利である。
【００１２】
そして、実際にペットに給餌する場合には、図２に示したように、ミシン目の部分で引き裂いて１個つのユニット２１を切り離して使用する。
そして、例えばユニット２１を与える時には、図３に示したように、切り離したユニット２１の側部のミシン目３１の部分に残っている孔４１の半分を切り込みとして引き裂き開封する。なお、別の側部にも孔の半分が残っているので、こちらから引き裂いて開封することもできる。このようにどちらの側部からでも開封することができる。
例えば、ユニット２２を切り離すと、その両側部に孔４１の半分と孔４２の半分が残っているので、このどちら側からでも引き裂いて開封することができる。
そして、中身の食材を取り出してペットに与えるのである。
【００１３】
以上のように、本発明のペット用フードには、切り離すためのミシン目が形成されているので、運ぶときには連結したままで取り扱いが便利であるとともに、ペットに与える時には、ミシン目で切り離すことで１個ずつ切り離して必要数与えることができる。
さらに、切り離したユニットには、両側部に孔の半分が形成されているので、どちらからでも開封しやすいという効果が得られる。
【００１４】
以上のように、本発明によれば、ミシン目をまたがるように孔を設けたので、１つの孔を設けることで両側のユニットに開封のための切れ目を設けることができる。従って、各ミシン目に１つずつの孔を設けることによって、１つのユニットに２つの切れ目を設けることができるのである。従って、開封しやすい構造のペット用フードを少ない工程で完成できるという効果も得られる。
【００１５】
なお、本発明のペット用フードに用いるシート材は通気性のない素材であれば良く、表裏のシートを融着することに代えて接着してもよい。
また、食材としては固形のものや粉末、液状、粒状のもの等種々の形態の食材を使用することができる。
また、食材はレトルト処理されているので、開封後直ちにペットが食することができるが、レトルト処理に限らず密封されているだけでもよい。
【００１６】
【発明の効果】
本発明によれば、食材が、複数個の短冊状のユニットに分割可能に真空包装されたペット用フードであって、連結された状態の各ユニット間には、分割用のミシン目が形成されているとともに、各ミシン目をまたがる孔が形成されており、前記ミシン目に沿って分割した後の各ユニットは、前記孔の部分から引き裂いて開封可能に構成されているので、連結した状態では扱いが便利であり、使用するときには１つずつ切り離して使用することができる。
特に、ミシン目をまたがるように開封用の孔を設けたので、１つのユニットには２つの切れ目が設けられており、何れの方からでも開封することができるのである。
【図面の簡単な説明】
【図１】本発明にかかるペット用フードの実施の形態の構成を示した斜視図である。
【図２】前記ペット用フードを切り離した状態の斜視図である。
【図３】切り離したユニットの開封した状態の斜視図である。
【符号の説明】
１    ペット用フード
２１、２２、２３、・・・ユニット
３１、３２、３３、・・・ミシン目
４１、４２、４３、・・・孔
【図１】
2004345716.tif 000003
【図２】
2004345716.tif 000004
【図３】
2004345716.tif 000005